(57)【要約】      （修正有）【課題】納棺された故人の顔を引き立てて見せることができる照明装置を提供する。【解決手段】棺１１に取り付けられ、納棺された故人の顔を照らす照明装置１Ａであって、複数のＬＥＤが実装された基板を収容した直管状のＬＥＤランプ２と、ＬＥＤランプ２の背面に沿って設けられた取付部材３と、取付部材３の両端に設けられ、取付部材３を棺１１に固定するための固定部材５ａと、を備えたことを特徴とする。【選択図】図１
0003166838.tif 000002
【実用新案登録請求の範囲】
【請求項１】
棺に取り付けられ、納棺された故人の顔を照らす照明装置であって、
複数のＬＥＤが実装された基板を収容した直管状のＬＥＤランプと、
前記ＬＥＤランプの背面に沿って設けられた取付部材と、
前記取付部材の両端に設けられ、前記取付部材を前記棺に固定するための固定部材と、
を備えたことを特徴とする照明装置。
【請求項２】
前記固定部材は、前記棺を構成する側板の上端に差し込むために断面コの字状に形成された差込部を含むことを特徴とする請求項１に記載の照明装置。
【請求項３】
前記固定部材は、一端が前記取付部材に対して回動可能に連結された連結部と、前記連結部の他端に対して回動可能に連結される前記差込部と、からなることを特徴とする請求項２に記載の照明装置。
【請求項４】
前記固定部材は、平板状に形成され、一端が前記取付部材に対して回動可能に連結されるとともに、他端が前記棺を構成する側板の内表面に固定されることを特徴とする請求項１に記載の照明装置。
【請求項５】
前記取付部材の一端に設けられた前記固定部材は、前記棺の側板のうち長側面を構成する一方側の側板に固定され、
前記取付部材の他端に設けられた前記固定部材は、前記一方側の側板に対向した他方側の側板に固定され、
前記ＬＥＤランプは、前記棺の上方を横切るように設けられたことを特徴とする請求項１に記載の照明装置。
【請求項６】
前記取付部材および前記固定部材は、放熱部材として機能する金属板で形成されていることを特徴とする請求項１ないし５のいずれかに記載の照明装置。
【考案の詳細な説明】
【技術分野】
【０００１】
本考案は、棺に取り付けられ、納棺された故人の顔を照らす照明装置に関する。
【背景技術】
【０００２】
一般に、葬儀においては、喪主、親族並びに故人と特に親しかった人達が、祭壇や式場に飾られた生花を一輪ずつ棺内に収め、故人の周りを切花で囲うように飾ることで、個人との最後の別れを惜しんでいる。近年では、このように棺内に生花を収める場合、生花が整然と差し込まれて固定された納棺用花飾り装置が用いられている（例えば、特許文献１参照）。この納棺用花飾り装置によれば、棺内をより美しく華やかな状態にすることができる。
【先行技術文献】
【特許文献】
【０００３】
【特許文献１】実用新案登録第３１１９２７４号公報
【考案の概要】
【考案が解決しようとする課題】
【０００４】
しかしながら、上記特許文献１に記載の納棺用花飾り装置では、故人の周りを華やかな状態にすることができるものの、故人の顔を引き立てて見せたり、故人自身を華やかに見せたりすることができなかった。
また、上記特許文献１に記載の納棺用花飾り装置を用いると、生花の量や色によっては、故人の顔が目立たなくなったり、故人の死に化粧が引き立ちにくくなったりする場合があった。
【０００５】
本考案は上記事情を鑑みてなされたものであって、その課題とするところは、納棺された故人の顔を引き立てて見せることができる照明装置を提供することにある。
【課題を解決するための手段】
【０００６】
上記の課題を解決するために、本考案は、棺に取り付けられ、納棺された故人の顔を照らす照明装置であって、複数のＬＥＤが実装された基板を収容した直管状のＬＥＤランプと、ＬＥＤランプの背面に沿って設けられた取付部材と、取付部材の両端に設けられ、取付部材を棺に固定するための固定部材と、を備えたことを特徴とする。
【０００７】
この構成によれば、ＬＥＤランプを棺に固定して納棺された故人の顔を照らすことができるので、故人の顔を引き立てて見せることができる。
【０００８】
本考案に係る照明装置において、上記固定部材は、棺を構成する側板の上端に差し込むために断面コの字状に形成された差込部を含むことが好ましい。
【０００９】
この構成によれば、容易にＬＥＤランプを棺に取り付けたり、棺から取り外したりすることができる。
【００１０】
本考案に係る照明装置において、上記固定部材は、一端が取付部材に対して回動可能に連結された連結部と、連結部の他端に対して回動可能に連結される上記差込部と、からなることが好ましい。
【００１１】
この構成によれば、連結部を取付部材および差込部に対して回動させることで、ＬＥＤランプの高さを変更して、故人の顔における照射強度や照射範囲を自由に調整することができる。
【００１２】
本考案に係る照明装置において、上記固定部材は、例えば、平板状に形成され、一端が取付部材に対して回動可能に連結されるとともに、他端が棺を構成する側板の内表面に固定されていてもよい。
【００１３】
また、本考案に係る照明装置において、上記固定部材は、例えば、取付部材の一端に設けられた固定部材が棺の側板のうち長側面を構成する一方側の側板に固定され、取付部材の他端に設けられた固定部材が一方側の側板に対向した他方側の側板に固定され、ＬＥＤランプが棺の上方を横切るように設けられていてもよい。
【００１４】
本考案に係る照明装置において、上記取付部材および前記固定部材は、例えば、放熱部材として機能する金属板で形成することができる。
【考案の効果】
【００１５】
本考案によれば、納棺された故人の顔を引き立てて見せることができる照明装置を提供することができる。
【図面の簡単な説明】
【００１６】
【図１】本考案の第１実施形態に係る照明装置と棺との関係を示す斜視図である。
【図２】本考案におけるＬＥＤランプの内部構造を示す斜視図である。
【図３】本考案の第１実施形態に係る照明装置であって、（ａ）は連結部と取付部材とがなす角度を９０°にした場合の背面図、（ｂ）は連結部と取付部材とがなす角度を５０°にした場合の背面図である。
【図４】本考案の第２実施形態に係る照明装置を棺に取り付けた状態を示す斜視図である。
【図５】本考案の第３実施形態に係る照明装置を棺に取り付けた状態を示す斜視図である。
【図６】本考案の第４実施形態に係る照明装置を棺に取り付けた状態を示す斜視図である。
【図７】本考案における差込部と棺の側板との関係を示す図であって、（ａ）は差込部を棺の側板に固定した場合の側面図、（ｂ）は差込部を棺の側板に固定していない場合の側面図である。
【考案を実施するための形態】
【００１７】
以下、本考案の好ましい実施形態について図面を参照して説明する。
【００１８】
［第１実施形態］
まず始めに、本考案の第１実施形態に係る照明装置１Ａについて説明する。
【００１９】
図１に示すように、本実施形態に係る照明装置１Ａは、棺１１に取り付けられて納棺された故人の顔を照らすものであり、直管状のＬＥＤランプ２と、ＬＥＤランプ２の背面に沿って設けられたアルミ製の取付部材３と、取付部材３に設けられたバネ性を有する取付金具４と、取付部材３の両端に設けられたアルミ製の固定部材５ａとから構成されている。
【００２０】
図２に示すように、ＬＥＤランプ２は、細長い矩形状のプリント配線基板２１と、プリント配線基板２１の表面側に直線状に実装された複数の白色ＬＥＤ２２と、白色ＬＥＤ２２を駆動するためにプリント配線基板２１の裏面側に設けられた回路基板２３と、プリント配線基板２１、白色ＬＥＤ２２および回路基板２３を収容した円筒状のケース２４とから構成されている。ケース２４の前面側（白色ＬＥＤ２２が実装されている方の側）は、白色ＬＥＤ２２から出射される光を透過させるために透明または半透明に形成されており、ケース２４の背面側（回路基板２３が設けられている方の側）は、回路基板２３が見えないように不透明に形成されていることが好ましい。
なお、このＬＥＤランプ２は、Ｕ字状に湾曲した取付金具４に把持されることにより、取付部材３に取り付けられている。
【００２１】
再び図１を参照して、固定部材５ａは、差込部６と連結部７とから構成されている。
差込部６は、棺１１を構成する側板１２、１３、１４のうち長側面を構成する側板１２の上端１２ａに差し込むために断面コの字状に形成されている。
連結部７は、平板状に形成されており、調節ねじ８により一端が取付部材３に対して回動可能に連結され、他端が差込部６に対して回動可能に連結されている。
【００２２】
本実施形態に係る照明装置１Ａは、図３に示すように、連結部７を取付部材３に対して回動させることで、ＬＥＤランプ２の高さ、すなわちＬＥＤランプ２と側板１２の上端１２ａとの距離を調整して、ＬＥＤランプ２の照射強度や照射範囲を自由に調整することができる。
具体的には、図３（ａ）に示すように、連結部７と取付部材３とがなす角度を９０°にすることで、ＬＥＤランプ２と側板１２の上端１２ａとの距離が最長となり、故人の顔における照射強度は低下し、照射範囲は最大となる。一方、図３（ｂ）に示すように、連結部７と取付部材３とがなす角度を５０°にすることで、図３（ａ）の状態に比べて、ＬＥＤランプ２と側板１２の上端１２ａとの距離が短くなり、故人の顔における照射強度は増加し、照射範囲は小さくなる。
【００２３】
また、本実施形態に係る照明装置１Ａでは、納棺された故人の顔を照らす光源としてＬＥＤランプ２を用いているため、蛍光灯に比べて発熱が少ない。さらに、本実施形態に係る照明装置１Ａでは、取付部材３および固定部材５ａが、放熱部材として機能するアルミ等の金属板で形成されているため、より一層発熱が少なくなる。
【００２４】
以上のように、本実施形態に係る照明装置１Ａによれば、取付部材３および固定部材５ａによってＬＥＤランプ２を棺１１に固定して、納棺された故人の顔を照らすことができるので、故人の顔に温かみがよみがえり、故人の顔を引き立てて見せることができる。
【００２５】
［第２実施形態］
図４は、本考案の第２実施形態に係る照明装置１Ｂを示す図である。本実施形態に係る照明装置１Ｂは、固定部材５ａの替わりに固定部材５ｂを用いたこと以外の点において、第１実施形態に係る照明装置１Ａと共通している。
【００２６】
同図に示すように、固定部材５ｂは、平板状に形成され、一端が取付部材３に対して回動可能に連結されるとともに、他端が棺１１を構成する側板１２の内表面に固定されている。本実施形態では、棺１１内を低温に保つためのドライアイス１５により、固定部材５ｂの他端を側板１２の内表面に押さえつけることで固定している。
なお、固定部材５ｂとして、第１実施形態における固定部材５ａから差込部６を取り外したもの（連結部７）を用いてもよい。
【００２７】
本実施形態に係る照明装置１Ｂによれば、固定部材５ｂの他端に断面コの字状の差込部６を設ける必要がないので、重量およびコストを低減することができる。また、第１実施形態に係る照明装置１Ａよりも、ＬＥＤランプ２を故人の顔に近づけることができるので、より故人の顔を引き立てて見せることができる。
【００２８】
［第３実施形態］
図５は、本考案の第３実施形態に係る照明装置１Ｃを示す図である。本実施形態に係る照明装置１Ｃは、固定部材５ａの替わりに固定部材５ｃを用いたこと以外の点において、第１実施形態に係る照明装置１Ａと共通している。
【００２９】
同図に示すように、固定部材５ｃは、第１実施形態における差込部６と同等のものであり、棺１１を構成する側板１２の上端１２ａに差し込むために断面コの字状に形成されている。
【００３０】
本実施形態に係る照明装置１Ｃによれば、固定部材５ｃに連結部７が設けられていないので、第１実施形態に係る照明装置１Ａよりも、ＬＥＤランプ２を故人の顔に近づけることができ、より故人の顔を引き立てて見せることができる。
【００３１】
［第４実施形態］
図６は、本考案の第４実施形態に係る照明装置１Ｄを示す図である。本実施形態に係る照明装置１Ｄは、取付部材３および固定部材５ａの替わりに取付部材３ｄおよび固定部材５ｄ−１、５ｄ−２を用いたこと以外の点において、第１実施形態に係る照明装置１Ａと共通している。
【００３２】
同図に示すように、取付部材３ｄは、断面Ｌ字状に形成されており、一の面３ｄ−１の両端（一端および他端）に固定部材５ｄ−１、５ｄ−２の一端がそれぞれ連結されるとともに、一の面と垂直な他の面３ｄ−２にＬＥＤランプ２が納棺された故人の顔を照らすように取り付けられている。
【００３３】
取付部材３ｄの一端に設けられた固定部材５ｄ−１は、棺１１の側板１２、１３、１４のうち長側面を構成する一方側の側板１２の内表面に固定され、取付部材３ｄの他端に設けられた固定部材５ｄ−２は、一方側の側板１２の内表面に対向した他方側の側板１３の内表面に固定されている。なお、固定方法は、本考案の第２実施形態に係る照明装置１Ｂと同様の方法を採用することができる。
【００３４】
本実施形態に係る照明装置１Ｄによれば、ＬＥＤランプ２が棺１１の上方を横切るように設けられているので、故人の顔を均一に照らすことができ、より故人の顔を引き立てて見せることができる。
【００３５】
以上、本考案の好ましい実施形態について説明してきたが、本考案はこれらの構成に限定されるものではない。
【００３６】
例えば、上記第１実施形態において、図７に示すように、蝶ボルトからなる調節ねじ８を圧縮ばね９に挿通させるとともに、差込部６にねじ切り加工を施してもよい。圧縮ばね９により調節ねじ８の頭部が押圧される一方、連結部７も押圧されるので、連結部７に対して調節ねじ８を安定させることができる。また、調節ねじ８により差込部６の幅を調整することができるので、棺１１の側板１２の幅が差込部６の幅よりも小さい場合であっても、しっかりと固定することができる（図７（ａ）参照）。さらに、調節ねじ８を緩めて差込部６の幅を広げることで、棺１１の側板１２から簡単に取り外すことができる（図７（ｂ）参照）。
【００３７】
また、上記第１ないし第３実施形態では、棺１１の側板１２、１３、１４のうち長側面を構成する一方側の側板１２にＬＥＤランプ２を固定したが、側板１２に限らず短側面を構成する側板１４にＬＥＤランプ２を固定してもよく、故人の顔を照らすことができる場所であれば固定場所は任意に選択することができる。
【００３８】
また、上記第２実施形態では、ドライアイス１５により固定部材５ｂの他端を側板１２の内表面に押さえつけることで固定しているが、ドライアイス１５に替えて、生花を差し込んで固定するための納棺用花飾り装置で押さえつけてもよいし、テープ等で貼り付けてもよい。
【００３９】
また、上記各実施形態では、白色ＬＥＤ２２を用いているが、他の色のＬＥＤを用いてもよし、ＬＥＤ以外の発光光源を用いてもよい。
【符号の説明】
【００４０】
１Ａ、１Ｂ、１Ｃ、１Ｄ    照明装置
２    ＬＥＤランプ
３、３ｄ    取付部材
４    取付金具
５ａ、５ｂ、５ｃ、５ｄ−１、５ｄ−２    固定部材
６    差込部
７    連結部
８    調節ねじ
９    圧縮ばね
１１    棺
１２、１３、１４    側板
２１    プリント配線基板
２２    白色ＬＥＤ
２３    回路基板
２４    ケース
【図１】
0003166838.tif 000003
【図２】
0003166838.tif 000004
【図３】
0003166838.tif 000005
【図４】
0003166838.tif 000006
【図５】
0003166838.tif 000007
【図６】
0003166838.tif 000008
【図７】
0003166838.tif 000009